(57)【要約】【課題】配達物を確実且つ簡易に配達することができるようにする。【解決手段】所定の配達エリアを有しており、インターネットを介して写真プリントの注文を受注した事業者が、写真プリントを作成する。そして、無線通信可能であると共に写真プリント発注者の発注者情報を記憶している第１のＩＣタグ３を、配達物（写真プリントが封入された封筒）に添付する。また、無線通信可能であると共にその所在地に関する情報である所在地情報を記憶している第２のＩＣタグ５が、事業者による配達物の配達経路上に設置されている。事業者は、無線通信可能な携帯端末５０を配達時に携帯する。そして、携帯端末５０は、携帯端末５０が第２のＩＣタグ５と通信可能な範囲内に位置する際に、当該第２のＩＣタグ５の所在地に最も近い配達先と、当該第２のＩＣタグ５に係る所在地との位置関係を対比し、その対比結果をスピーカーによって報知する。【選択図】図１
2007172166.tif 000002
【特許請求の範囲】
【請求項１】
配達業者が配達物を配達先に配達する配達システムであって、
配達物に添付されており、無線通信可能であると共に配達物の配達先に関する情報である配達先情報を記憶している第１の識別装置と、
配達業者による配達物の配達経路上に設置されており、無線通信可能であると共に所在地に関する情報である所在地情報を記憶している第２の識別装置と、
前記第１の識別装置と前記第２の識別装置とが互いに通信可能な範囲内に位置する際に、当該第１の識別装置に係る配達先と当該第２の識別装置に係る所在地との位置関係を対比する対比手段と、
前記対比手段によって対比された結果を報知する報知手段とを備えていることを特徴とする配達システム。
【請求項２】
配達業者による配達物の配達経路を含む地図情報を記憶する地図情報記憶手段をさらに備えており、
前記対比手段が、前記第１の識別装置と前記第２の識別装置とが互いに通信可能な範囲内に位置する際に、前記地図情報記憶手段に記憶されている地図情報に基づいて、当該第２の識別装置に係る所在地から当該第１の識別装置に係る配達先に向かうための案内情報を生成し、
前記報知手段が前記対比手段によって生成された案内情報を報知することを特徴とする請求項１に記載の配達システム。
【請求項３】
配達業者が配達物を配達先に配達する配達システムであって、
１又は複数の配達物にそれぞれ添付されており、無線通信可能であると共に配達物の配達先に関する情報である配達先情報を記憶している１又は複数の第１の識別装置と、
配達業者による配達物の配達経路上に設置されており、無線通信可能であると共に所在地に関する情報である所在地情報を記憶している第２の識別装置と、
無線通信可能であり、前記１又は複数の第１の識別装置に記憶されている前記配達先情報を取得可能であると共に、配達時において配達業者に携帯される携帯端末とを備えており、
前記携帯端末は、
前記携帯端末が前記第２の識別装置と通信可能な範囲内に位置する際に、前記１又は複数の第１の識別装置のうちの少なくとも１つに係る配達先と当該第２の識別装置に係る所在地との位置関係を対比する対比手段と、
前記対比手段によって対比された結果を報知する報知手段とを備えていることを特徴とする配達システム。
【請求項４】
前記携帯端末は、前記携帯端末が前記第２の識別装置と通信可能な範囲内に位置する際に、前記１又は複数の第１の識別装置のうち、配達物の配達先が当該第２の識別装置に係る所在地と最も近いものを特定する特定手段をさらに備えており、
前記対比手段が、前記特定手段によって特定された前記第１の識別装置に係る配達先と当該第２の識別装置に係る所在地との位置関係を対比することを特徴とする請求項３に記載の配達システム。
【請求項５】
前記携帯端末が、配達業者による配達物の配達経路を含む地図情報を記憶する地図情報記憶手段をさらに備えており、
前記対比手段が、前記携帯端末が前記第２の識別装置と通信可能な範囲内に位置する際に、前記地図情報記憶手段に記憶されている地図情報に基づいて、当該第２の識別装置に係る所在地から前記特定手段によって特定された前記第１の識別装置に係る配達先に向かうための案内情報を生成し、
前記報知手段が前記対比手段によって生成された案内情報を報知することを特徴とする請求項４に記載の配達システム。
【請求項６】
前記携帯端末が、配達業者による配達物の配達経路を含む地図情報を記憶する地図情報記憶手段と、
前記地図記憶手段に記憶されている地図情報に係る地図を表示するディスプレイとをさらに備えており、
前記第１の識別装置に係る配達先の位置を前記ディスプレイが表示し、且つ前記第２の識別装置と通信可能な範囲内に位置する際に、当該第２の識別装置に記憶されている前記所在地情報に基づいて、当該第２の識別装置の所在地を前記ディスプレイが表示することを特徴とする請求項３〜５のいずれか１項に記載の配達システム。
【請求項７】
配達業者が配達物を配達先に配達する配達システムであって、
１又は複数の配達物にそれぞれ添付されており、無線通信可能であると共に識別情報を記憶している１又は複数の第１の識別装置と、
配達業者による配達物の配達経路上に設置されており、無線通信可能であると共に所在地に関する情報である所在地情報を記憶している第２の識別装置と、
無線通信可能であり、前記１又は複数の第１の識別装置に記憶されている前記識別情報を取得可能であると共に、配達時において配達業者に携帯される携帯端末とを備えており、
前記携帯端末は、
前記１又は複数の第１の識別装置に係る配達先と前記１又は複数の第１の識別装置に記憶されている前記識別情報とを互いに関連付けて記憶する関連情報記憶手段と、
前記携帯端末が前記第２の識別装置と通信可能な範囲内に位置する際に、前記関連情報記憶手段の記憶内容に基づいて、前記１又は複数の第１の識別装置のうちの少なくとも１つに係る配達先と当該第２の識別装置に係る所在地との位置関係を対比する対比手段と、
前記対比手段によって対比された結果を報知する報知手段とを備えていることを特徴とする配達システム。
【請求項８】
前記携帯端末は、前記携帯端末が前記第２の識別装置と通信可能な範囲内に位置する際に、前記１又は複数の第１の識別装置のうち、配達物の配達先が当該第２の識別装置に係る所在地と最も近いものを特定する特定手段をさらに備えており、
前記対比手段が、前記特定手段によって特定された前記第１の識別装置に係る配達先と当該第２の識別装置に係る所在地との位置関係を対比することを特徴とする請求項７に記載の配達システム。
【請求項９】
前記携帯端末が、配達業者による配達物の配達経路を含む地図情報を記憶する地図情報記憶手段をさらに備えており、
前記対比手段が、前記携帯端末が前記第２の識別装置と通信可能な範囲内に位置する際に、前記地図情報記憶手段に記憶されている地図情報に基づいて、当該第２の識別装置に係る所在地から前記特定手段によって特定された前記第１の識別装置に係る配達先に向かうための案内情報を生成し、
前記報知手段が前記対比手段によって生成された案内情報を報知することを特徴とする請求項８に記載の配達システム。
【請求項１０】
前記携帯端末が、配達業者による配達物の配達経路を含む地図情報を記憶する地図情報記憶手段と、
前記地図記憶手段に記憶されている地図情報に係る地図を表示するディスプレイとをさらに備えており、
前記第１の識別装置に係る配達先の位置を前記ディスプレイが表示し、且つ前記第２の識別装置と通信可能な範囲内に位置する際に、当該第２の識別装置に記憶されている前記所在地情報に基づいて、当該第２の識別装置の所在地を前記ディスプレイが表示することを特徴とする請求項７〜９のいずれか１項に記載の配達システム。
【請求項１１】
複数の写真プリント発注者が操作する複数の発注者端末と、所定の配達エリアをそれぞれ有しており、写真プリントを作成すると共に、作成した写真プリントを請求項１〜６のいずれか１項に記載の配達システムによって配達する複数の事業者の事業所内に設置された複数の事業者端末とが、通信ネットワークを介してサーバと通信可能であり、前記発注者端末が、写真プリント発注者の前記発注者端末への操作入力に従って、プリントを希望する画像データファイルを前記サーバに送信する写真プリントシステムであって、
前記事業者端末が、前記第１の識別装置に情報を書き込むための書込装置を有しており、
前記発注者端末が、写真プリント発注者の前記発注者端末への操作入力に従って、配達先情報を前記サーバに送信し、
前記サーバが、前記複数の事業者の中から抽出された、前記発注者端末から受信した配達先情報に係る住所を配達エリアに含んでいる１又は複数の事業者に関する事業者情報を前記発注者端末に送信し、
前記発注者端末が、前記サーバにおいて複数の事業者が抽出された場合に、写真プリント発注者の前記発注者端末への操作入力に従って、当該複数の事業者の中から写真プリント発注者が選択した事業者の選択情報を前記サーバに送信し、
前記サーバにおいて１つの事業者が抽出された場合には、その抽出された事業者の前記事業者端末が、前記サーバにおいて複数の事業者が抽出された場合には、前記選択情報によって選択された前記事業者端末が前記サーバから当該画像データファイル及び配達先情報を受信すると共に、当該事業者端末の前記書込装置が前記第１の識別装置に前記サーバから受信した配達先情報を書き込むことを特徴とする写真プリントシステム。
【請求項１２】
複数の写真プリント発注者が操作する複数の発注者端末と、所定の配達エリアをそれぞれ有しており、写真プリントを作成すると共に、作成した写真プリントを請求項７〜１０のいずれか１項に記載の配達システムによって配達する複数の事業者の事業所内に設置された複数の事業者端末とが、通信ネットワークを介してサーバと通信可能であると共に、前記第１の識別装置が前記識別情報を記憶しており、前記発注者端末が、写真プリント発注者の前記発注者端末への操作入力に従って、プリントを希望する画像データファイルを前記サーバに送信する写真プリントシステムであって、
前記事業者端末が、前記携帯端末と通信可能であり、
前記発注者端末が、写真プリント発注者の前記発注者端末への操作入力に従って、配達先情報を前記サーバに送信し、
前記サーバが、前記複数の事業者の中から抽出された、前記発注者端末から受信した配達先情報に係る住所を配達エリアに含んでいる１又は複数の事業者に関する事業者情報を前記発注者端末に送信し、
前記発注者端末が、前記サーバにおいて複数の事業者が抽出された場合に、写真プリント発注者の前記発注者端末への操作入力に従って、当該複数の事業者の中から写真プリント発注者が選択した事業者の選択情報を前記サーバに送信し、
前記サーバにおいて１つの事業者が抽出された場合には、その抽出された事業者の前記事業者端末が、前記サーバにおいて複数の事業者が抽出された場合には、前記選択情報によって選択された前記事業者端末が前記サーバから当該画像データファイル及び配達先情報を受信すると共に、前記携帯端末に前記サーバから受信した配達先情報を送信し、且つ前記携帯端末の前記関連情報記憶手段が前記サーバから受信した配達先情報と前記第１の識別装置の記憶されている前記識別情報とを関連付けて記憶することを特徴とする写真プリントシステム。
【発明の詳細な説明】
【技術分野】
【０００１】
本発明は、配達物を配達する配達システム、及び写真プリント発注者によって通信ネットワークを介してサーバにアップロードされた画像データファイルに基づいて写真プリントを作成すると共に、作成した写真プリントを上述の配達システムを利用して配達する写真プリントシステムに関する。
【背景技術】
【０００２】
近年、インターネットを介して発注された写真プリントを、配達先住所に配達するシステムが知られている（特許文献１参照）。
【０００３】
具体的には、写真プリント発注者は、インターネットに接続された自宅のパーソナルコンピュータ（以降、「パソコン」と称する）を操作して、プリントの注文を希望する画像データファイルを、写真プリントを作成する写真処理装置を備えたプリント店のサーバにアップロードする。プリント店では、写真に関する専門家であるオペレータによって、サーバにアップロードされた画像データファイルに対して好適な補正処理が行われた後、プリント処理が行われる。そして、仕上がった写真プリントは、配達専門の業者が配達先住所に配達する。
【０００４】
【特許文献１】特開２００５−２０５７６１号公報
【発明の開示】
【発明が解決しようとする課題】
【０００５】
例えば、新聞販売店・酒屋・牛乳屋などの既存の配達システムを有している事業者が、上述のような写真プリントビジネスに取り組むことで、低コストで写真プリントの配達という付加的なサービスを行うことができる。上述のような新聞販売店等の事業者は、地域に密着しているので、写真プリント発注者は、安心して写真プリントの作成及び配達を依頼することができる。しかしながら、かかる事業者は、当該事業者が販売している商品等の配達が本来の業務であるので、本来の業務に専念する余り、写真プリントの配達先を素通りしてしまう虞がある。また、当該事業者の配達エリア内であっても、写真プリントの発注者が当該事業者の顧客でない場合には、その配達先の詳細な場所が分からない場合がある。特に、配達担当者が、短期雇用者である場合や、その地域の地理に慣れていない者である場合には、配達業務が困難である。
【０００６】
そこで、本発明の目的は、配達物を確実且つ簡易に配達することができる配達システム、及びこれを利用した写真プリントシステムを提供することである。
【課題を解決するための手段及び効果】
【０００７】
本発明の配達システムは、配達業者が配達物を配達先に配達する配達システムであって、配達物に添付されており、無線通信可能であると共に配達物の配達先に関する情報である配達先情報を記憶している第１の識別装置と、配達業者による配達物の配達経路上に設置されており、無線通信可能であると共に所在地に関する情報である所在地情報を記憶している第２の識別装置と、前記第１の識別装置と前記第２の識別装置とが互いに通信可能な範囲内に位置する際に、当該第１の識別装置に係る配達先と当該第２の識別装置に係る所在地との位置関係を対比する対比手段と、前記対比手段によって対比された結果を報知する報知手段とを備えている。
【０００８】
また、本発明の配達システムは、配達業者が配達物を配達先に配達する配達システムであって、１又は複数の配達物にそれぞれ添付されており、無線通信可能であると共に配達物の配達先に関する情報である配達先情報を記憶している１又は複数の第１の識別装置と、配達業者による配達物の配達経路上に設置されており、無線通信可能であると共に所在地に関する情報である所在地情報を記憶している第２の識別装置と、無線通信可能であり、前記１又は複数の第１の識別装置に記憶されている前記配達先情報を取得可能であると共に、配達時において配達業者に携帯される携帯端末とを備えており、前記携帯端末は、前記携帯端末が前記第２の識別装置と通信可能な範囲内に位置する際に、前記１又は複数の第１の識別装置のうちの少なくとも１つに係る配達先と当該第２の識別装置に係る所在地との位置関係を対比する対比手段と、前記対比手段によって対比された結果を報知する報知手段とを備えている。
【０００９】
さらに、本発明の配達システムは、配達業者が配達物を配達先に配達する配達システムであって、１又は複数の配達物にそれぞれ添付されており、無線通信可能であると共に識別情報を記憶している１又は複数の第１の識別装置と、配達業者による配達物の配達経路上に設置されており、無線通信可能であると共に所在地に関する情報である所在地情報を記憶している第２の識別装置と、無線通信可能であり、前記１又は複数の第１の識別装置に記憶されている前記識別情報を取得可能であると共に、配達時において配達業者に携帯される携帯端末とを備えており、前記携帯端末は、前記１又は複数の第１の識別装置に係る配達先と前記１又は複数の第１の識別装置に記憶されている前記識別情報とを互いに関連付けて記憶する関連情報記憶手段と、前記携帯端末が前記第２の識別装置と通信可能な範囲内に位置する際に、前記関連情報記憶手段の記憶内容に基づいて、前記１又は複数の第１の識別装置のうちの少なくとも１つに係る配達先と当該第２の識別装置に係る所在地との位置関係を対比する対比手段と、前記対比手段によって対比された結果を報知する報知手段とを備えている。
【００１０】
これらの構成によると、配達物を配達している配達者は、配達物に添付されている第１の識別装置、又は、携帯している携帯端末と、配達経路上に設置されている第２の識別装置とが通信可能である際、すなわち配達者が第２の識別装置から所定の範囲内にいる際に、配達先と当該第２の識別装置の所在地との位置関係を知ることができる。つまり、配達先と配達者の存在位置との位置関係を知ることができる。したがって、配達者が配達先の地域の地理に不慣れな場合であっても、配達物を簡易に配達することができる。また、配達者が配達先に設置されている第２の識別装置から所定の範囲内にいる際に、報知手段が配達先と配達者の存在位置とが一致している、すなわち、配達先に到着した旨を報知することで、配達先を素通りすることなく確実に配達することができる。
【００１１】
本発明の配達システムでは、前記携帯端末は、前記携帯端末が前記第２の識別装置と通信可能な範囲内に位置する際に、前記１又は複数の第１の識別装置のうち、配達物の配達先が当該第２の識別装置に係る所在地と最も近いものを特定する特定手段をさらに備えており、前記対比手段が、前記特定手段によって特定された前記第１の識別装置に係る配達先と当該第２の識別装置に係る所在地との位置関係を対比してもよい。この構成によると、複数の配達物を配達する際に、効率よく配達を行うことができる。
【００１２】
本発明の配達システムでは、配達業者による配達物の配達経路を含む地図情報を記憶する地図情報記憶手段をさらに備えており、前記対比手段が、前記第１の識別装置と前記第２の識別装置とが互いに通信可能な範囲内に位置する際に、前記地図情報記憶手段に記憶されている地図情報に基づいて、当該第２の識別装置に係る所在地から当該第１の識別装置に係る配達先に向かうための案内情報を生成し、前記報知手段が前記対比手段によって生成された案内情報を報知してもよい。
【００１３】
また、本発明の配達システムでは、前記携帯端末が、配達業者による配達物の配達経路を含む地図情報を記憶する地図情報記憶手段をさらに備えており、前記対比手段が、前記携帯端末が前記第２の識別装置と通信可能な範囲内に位置する際に、前記地図情報記憶手段に記憶されている地図情報に基づいて、当該第２の識別装置に係る所在地から前記特定手段によって特定された前記第１の識別装置に係る配達先に向かうための案内情報を生成し、前記報知手段が前記対比手段によって生成された案内情報を報知してもよい。
【００１４】
これらの構成によると、配達者は、報知手段によって報知された案内情報に基づいて配達することができるので、配達物の配達がより簡易となる。
【００１５】
本発明の配達システムでは、前記携帯端末が、配達業者による配達物の配達経路を含む地図情報を記憶する地図情報記憶手段と、前記地図記憶手段に記憶されている地図情報に係る地図を表示するディスプレイとをさらに備えており、前記第１の識別装置に係る配達先の位置を前記ディスプレイが表示し、且つ前記第２の識別装置と通信可能な範囲内に位置する際に、当該第２の識別装置に記憶されている前記所在地情報に基づいて、当該第２の識別装置の所在地を前記ディスプレイが表示してもよい。この構成によると、配達先と配達者の存在位置との位置関係を視覚的に知ることができる。
【００１６】
本発明の写真プリントシステムは、複数の写真プリント発注者が操作する複数の発注者端末と、所定の配達エリアをそれぞれ有しており、写真プリントを作成すると共に、作成した写真プリントを上述の配達システムによって配達する複数の事業者の事業所内に設置された複数の事業者端末とが、通信ネットワークを介してサーバと通信可能であり、前記発注者端末が、写真プリント発注者の前記発注者端末への操作入力に従って、プリントを希望する画像データファイルを前記サーバに送信する写真プリントシステムである。そして、前記事業者端末が、前記第１の識別装置に情報を書き込むための書込装置を有しており、前記発注者端末が、写真プリント発注者の前記発注者端末への操作入力に従って、配達先情報を前記サーバに送信し、前記サーバが、前記複数の事業者の中から抽出された、前記発注者端末から受信した配達先情報に係る住所を配達エリアに含んでいる１又は複数の事業者に関する事業者情報を前記発注者端末に送信し、前記発注者端末が、前記サーバにおいて複数の事業者が抽出された場合に、写真プリント発注者の前記発注者端末への操作入力に従って、当該複数の事業者の中から写真プリント発注者が選択した事業者の選択情報を前記サーバに送信し、前記サーバにおいて１つの事業者が抽出された場合には、その抽出された事業者の前記事業者端末が、前記サーバにおいて複数の事業者が抽出された場合には、前記選択情報によって選択された前記事業者端末が前記サーバから当該画像データファイル及び配達先情報を受信すると共に、当該事業者端末の前記書込装置が前記第１の識別装置に前記サーバから受信した配達先情報を書き込む。
【００１７】
また、本発明の写真プリントシステムは、複数の写真プリント発注者が操作する複数の発注者端末と、所定の配達エリアをそれぞれ有しており、写真プリントを作成すると共に、作成した写真プリントを上述の配達システムによって配達する複数の事業者の事業所内に設置された複数の事業者端末とが、通信ネットワークを介してサーバと通信可能であると共に、前記第１の識別装置が前記識別情報を記憶しており、前記発注者端末が、写真プリント発注者の前記発注者端末への操作入力に従って、プリントを希望する画像データファイルを前記サーバに送信する写真プリントシステムである。そして、前記事業者端末が、前記携帯端末と通信可能であり、前記発注者端末が、写真プリント発注者の前記発注者端末への操作入力に従って、配達先情報を前記サーバに送信し、前記サーバが、前記複数の事業者の中から抽出された、前記発注者端末から受信した配達先情報に係る住所を配達エリアに含んでいる１又は複数の事業者に関する事業者情報を前記発注者端末に送信し、前記発注者端末が、前記サーバにおいて複数の事業者が抽出された場合に、写真プリント発注者の前記発注者端末への操作入力に従って、当該複数の事業者の中から写真プリント発注者が選択した事業者の選択情報を前記サーバに送信し、前記サーバにおいて１つの事業者が抽出された場合には、その抽出された事業者の前記事業者端末が、前記サーバにおいて複数の事業者が抽出された場合には、前記選択情報によって選択された前記事業者端末が前記サーバから当該画像データファイル及び配達先情報を受信すると共に、前記携帯端末に前記サーバから受信した配達先情報を送信し、且つ前記携帯端末の前記関連情報記憶手段が前記サーバから受信した配達先情報と前記第１の識別装置の記憶されている前記識別情報とを関連付けて記憶する。
【００１８】
なお、本発明においては、写真プリントの作成及び配達を行う事業者の事業者端末がサーバから画像データファイルを受信するタイミングが、配達先情報を受信するタイミングと同時でない場合も含んでいる。
【００１９】
これらの構成によると、発注者は、配達先住所を配達エリアに含んでおり、その地域に密着している事業者に写真プリントの作成及び配達を依頼することとなるので、安心して写真プリントを発注することができる。また、写真プリント配達時において、配達者が第２の識別装置から所定の範囲内にいる際に、写真プリントの配達先と配達者の存在位置との位置関係を知ることができるので、配達者が配達先の地域の地理に不慣れな場合であっても、配達物を簡易に配達することができる。さらに、報知手段が配達先に到着した旨を報知することで、例えば、配達者が新聞配達等をしつつ写真プリントの配達を行っている場合でも、写真プリントの配達先を素通りすることなく、確実に写真プリントを配達することができる。
【発明を実施するための最良の形態】
【００２０】
以下、本発明の好適な実施の形態について、図面を参照しつつ説明する。図１は、本実施の形態に係る配達システムの概略構成を示す図である。
【００２１】
本実施の形態の配達システム１は、配達業者が配達物である写真プリントを配達先に配達するシステムであって、図１に示すように、写真プリント（詳細には写真プリントが封入されている封筒）に添付されており、無線通信可能であると共に写真プリント発注者の氏名情報、配達先住所情報、配達先電話番号情報等を含む発注者情報を記憶している第１のＩＣタグ３と、配達業者による配達物の配達経路上に複数設置されており、無線通信可能であると共に所在地に関する情報である所在地情報を記憶している第２のＩＣタグ５ａ〜５ｃ（以降の説明において、「第２のＩＣタグ５ａ〜５ｃ」の３つを区別せずに「第２のＩＣタグ５」と称する場合がある）と、無線通信可能であり、配達時において配達業者に携帯される携帯端末５０とを備えている。なお、図１に示すように、第２のＩＣタグ５ａは配達先の住宅に設置されており、第２のＩＣタグ５ｂ、５ｃは、道路標識に設置されている。第２のＩＣタグ５の設置場所はこれらに限られず、例えば、電柱、ガードレール、道路上等に設置されていてもよい。また、本実施の形態では、写真プリントが封入されている封筒には、発注者の氏名及び住所が記載されていることとする。
【００２２】
第１のＩＣタグ３、及び第２のＩＣタグ５の構成は、いずれもほぼ同様であるので、第１のＩＣタグ３の構成のみについて説明する。図２に示すように、第１のＩＣタグ３には、半導体チップ３ａ及びアンテナコイル３ｂが内蔵されている。半導体チップ３ａには、ＣＰＵ、ＲＯＭ、ＲＡＭ、Ｉ／Ｏインターフェイス回路等が集積されている。アンテナコイル３ｂは、ＩＣタグリーダとの間で電波を送受信する。また、アンテナコイル３ｂは、ＩＣタグリーダからの電波を受けることによって電力を発生させると共に、半導体チップ３ａへ電力を供給する。
【００２３】
携帯端末５０は、図３に示すように、第１のＩＣタグ３、及び第２のＩＣタグ５との間で電波を送受信するアンテナ５７を有しており、ＩＣタグリーダとして機能する。なお、本実施の形態においては、携帯端末５０と第１のＩＣタグ３との間の通信距離は数センチ程度であり、携帯端末５０と第２のＩＣタグ５との間の通信距離は数メートル程度であるとする。したがって、第１のＩＣタグ３は、携帯端末５０にかざされることによって、携帯端末５０との間で無線通信可能となる。また、図１に示すように、携帯端末５０の周囲数メートルの範囲（破線で示す範囲）に位置する第２のＩＣタグ５は、携帯端末５０との間で無線通信可能となる。さらに、図３に示すように、携帯端末５０は、発注者情報記憶部５１、最近接配達先特定部５２、地図情報記憶部５３、及び対比部５４を有している。
【００２４】
発注者情報記憶部５１は、写真プリントに添付されている第１のＩＣタグ３から受信した発注者情報を記憶する。最近接配達先特定部５２は、複数の配達先に配達を行う場合において、携帯端末５０が第２のＩＣタグ５と通信可能な範囲内に位置する際に、複数の配達物に添付されている複数の第１のＩＣタグ３から受信した配達先住所情報にかかる配達先のうち、当該第２のＩＣタグ５から受信した所在地情報に係る所在地に最も近いものを特定する。
【００２５】
地図情報記憶部５３は、配達業者による配達物の配達経路を含む地図情報を記憶している。対比部５４は、携帯端末５０が第２のＩＣタグ５と通信可能な範囲内に位置する際に、配達物に添付されている第１のＩＣタグ３から受信した配達先住所情報にかかる配達先と、当該第２のＩＣタグ５から受信した所在地情報に係る所在地との位置関係を対比する。より詳細には、対比部５４は、地図情報記憶部５３に記憶されている地図情報に基づいて、当該第２のＩＣタグ５の所在地から配達先に向かうための案内情報を生成する。案内情報とは、具体的には、「そのまま直進」、「５０ｍ先を左折」、「目的地に到着」等の情報である。なお、配達物が複数ある場合には、対比部５４は、最近接配達先特定部５２によって特定された配達先と、携帯端末５０と通信可能な範囲内に位置する第２のＩＣタグ５の所在地とを対比する。
【００２６】
さらに、携帯端末５０は、ディスプレイ５８及びスピーカー５９を備えている。ディスプレイ５８は、地図情報記憶部５３に記憶されている地図情報にかかる地図を表示する。加えて、ディスプレイ５８は、第１のＩＣタグ３から受信した配達先住所情報に係る配達先の地図上における位置を表示すると共に、携帯端末５０と通信可能な範囲内に位置する第２のＩＣタグ５から受信した所在地情報に係る所在地の地図上における位置を表示する。なお、本実施の形態では、ディスプレイ５８は、最近接配達先特定部５２で特定された配達先に係る配達物の発注者情報である発注者の氏名情報、配達先住所情報、及び配達先電話番号情報を、文字情報として表示することとする。これにより、配達業者は、配達物が複数ある場合でも、ディスプレイ５８が表示した発注者の氏名等と配達物に記載されている発注者の氏名等と照らし合わせることで、どの配達物の配達先に向かっているかを知ることができる。また、ディスプレイ５８が表示した配達先電話番号により、到着前に発注者が在宅か否かを電話で確認することもできる。スピーカー５９は、対比部５４による対比結果を報知する。具体的には、対比部５４によって生成された案内情報を報知する。
【００２７】
ここで、図４を参照しつつ、本実施の形態の配達システム１において、配達業者が写真プリントを配達する際に、携帯端末５０で行われる処理について説明する。なお、ここでは、複数の配達先に配達物を配達する場合を考えることとする。
【００２８】
まず、各配達先に配達される写真プリントにそれぞれ添付された複数の第１のＩＣタグ３から発注者情報を取得すると共に、発注者情報記憶部５１に記憶する（ステップＳ１０１）。このとき、ディスプレイ５８は、地図情報記憶部５３に記憶されている地図情報に基づく地図、及び、ステップＳ１０１で取得した発注者情報に含まれている配達先住所情報に係る配達先の地図上における位置を表示する。次に、携帯端末５０と通信可能な範囲内に位置する第２のＩＣタグ５から信号を受信したか否かが判断される（ステップＳ１０２）。第２のＩＣタグ５から信号を受信していないと判断された場合には（ステップＳ１０２：ＮＯ）、受信したと判断されるまでステップＳ１０２での判断が繰り返し行われる。一方、第２のＩＣタグ５から信号を受信したと判断された場合には（ステップＳ１０２：ＹＥＳ）、ディスプレイ５８が当該第２のＩＣタグ５から受信した所在地情報に係る所在地の地図上における位置を、配達業者の現在位置として表示する（ステップＳ１０３）。
【００２９】
続いて、最近接配達先特定部５２が、発注者情報記憶部５１に記憶されている複数の第１のＩＣタグ３に係る発注者情報に基づいて、ステップＳ１０２において信号を受信した第２のＩＣタグ５の所在地と最も近い配達先を特定する（ステップＳ１０４）。さらに、対比部５４が、ステップＳ１０２において信号を受信した第２のＩＣタグ５の所在地と、ステップＳ１０４で特定された配達先との位置関係を対比し、当該第２のＩＣタグ５の所在地から当該配達先に向かうための案内情報を生成する（ステップＳ１０５）。
【００３０】
ここで、図１を用いて、ステップＳ１０５において生成される案内情報について説明する。なお、図１において、第２のＩＣタグ５ａが設置された住宅がステップＳ１０４で特定された配達先であり、第２のＩＣタグ５ｂがステップＳ１０２において携帯端末５０が信号を受信した第２のＩＣタグ５であるとする。また、携帯端末５０は、第２のＩＣタグ５ｂの信号を受信する直前に第２のＩＣタグ５ｃの信号を受信していたとする。したがって、携帯端末５０が第２のＩＣタグ５ｂの信号を受信した際に、配達業者が矢印Ａ方向に向かっていることが分かる。よって、「突当りを左折」という案内情報が生成される。
【００３１】
図４に戻って、ステップＳ１０５において対比された第２のＩＣタグ５の所在地と配達先とが一致している、すなわち配達先に到着したか否かが判断される（ステップＳ１０６）。未だ配達先に到着していないと判断された場合には（ステップＳ１０６：ＮＯ）、スピーカー５９によってステップＳ１０５で生成された案内情報が報知される（ステップＳ１０７）。その後、ステップＳ１０２に戻って、再び第２のＩＣタグ５からの信号を受信したか否かの判断が行われる。一方、ステップＳ１０６において配達先に到着したと判断された場合には（ステップＳ１０６：ＹＥＳ）、スピーカー５９によってステップＳ１０５で生成された案内情報、すなわち、配達先に到着した旨が報知される（ステップＳ１０８）。このように、案内情報をスピーカー５９によって音声で報知することによって、例えば、配達業者が乗り物に乗って配達を行っており、運転に気を取られている場合等でも、音声によって注意を喚起することができる。
【００３２】
なお、本実施の形態においては、第２のＩＣタグ５は、配達業者による配達物の配達経路上に複数設置されている。したがって、上述のような配達システム１によって、配達業者を配達先まで誘導することができる。
【００３３】
次に、上述の配達システム１を用いた写真プリントシステムについて説明する。図５は、本実施の形態に係る写真プリントシステムの概略構成を示す図である。
【００３４】
本実施の形態の写真プリントシステム１０１は、インターネット９を利用して写真プリントの注文を受け付け、写真プリントの作成及び配達を行うシステムであり、図５に示すように、写真プリント発注者が操作するパソコン１０と、所定の配達エリアを有していると共に、商品の配送契約を消費者と結ぶことがある複数の事業者が操作する複数の事業者端末３０と、サーバ７０とを備えている。そして、パソコン１０及び事業者端末３０は、いずれもインターネット９を介してサーバ７０と通信可能に接続されている。なお、本実施の形態の写真プリントシステム１０１において、配達物である写真プリントを配達する配達業者は、事業者端末３０を操作する事業者である。
【００３５】
本実施の形態では、所定の配達エリアを有する事業者として、新聞販売店、コンビニエンスストア、及び酒屋の３業種を例に挙げて説明するが、これらは一例であり、例えば、米屋、牛乳屋等、既存の配達システムを有する事業者であればどのような業種の事業者を幾つ含んでいてもよい。また、図５では、新聞販売店、コンビニエンスストア、及び酒屋がそれぞれ１店舗ずつ記載されているが、写真プリントシステム１０１には、配達エリアの異なる複数の事業者の店舗に設置された複数の事業者端末３０が設けられている。さらに、パソコン１０についても、図５では１台だけ記載されているが、写真プリントシステム１０１には、全国各地の写真プリント発注者のインターネット９に接続されたパソコン１０が多数設けられている。
【００３６】
ここで、上述の新聞販売店等の事業者の配達エリアについて説明する。本実施の形態では、かかる事業者のうち、同種事業者同士の配達エリアは、重複することなく分布していることが想定できる。一方、異種事業者同士の配達エリアは、その全て又は一部が互いに重複している地域が存在していることとする。すなわち、本実施の形態のように、３業種の事業者を考えている場合には、ある特定の住所を配達エリアに含んでいる事業者は、１つ、２つ、又は３つ存在することとなる。
【００３７】
パソコン１０には、ＣＰＵ、ＲＯＭ、ＲＡＭ、ハードディスク等のハードウェアが収納されており、ハードディスクには各種のソフトウェアが記憶されている。そして、これらのハードウェアおよびソフトウェアが組み合わされることによって、パソコン１０が機能している。また、パソコン１０には、図６に示すように、パソコン１０に関する各種情報を表示するディスプレイ１５と、パソコン１０に対して指示を入力するためのキーボード１６及びマウス１７と、ＣＤ−ＲＯＭ、ＦＤ、ＭＯ等の各種メディアに記録された画像データファイルを読み出すメディアドライブ１８と、インターネット９に接続するための通信インターフェース１９とが接続されている。
【００３８】
したがって、パソコン１０を操作する写真プリント発注者は、発注者情報（具体的には、自身の氏名、仕上がった写真プリントの配達先住所、配達先電話番号等）、写真プリントシステム１０１に含まれる複数業種の事業者のうちから写真プリントを発注する事業者として選択した事業者の選択情報、メディアドライブ１８によって読み出された画像データファイルのうちプリントを希望する画像データファイル、当該画像データファイルに係るサムネイル画像データファイル、当該画像データファイルに係る画像のプリント枚数、及び当該選択した事業者が販売している商品の購入情報等をインターネット９を介してサーバ７０にアップロードすることができる。
【００３９】
事業者端末３０は、図７に示すように、互いに接続されておりデータの送受信が可能な汎用のパソコン４０とプリンタ３１とで構成されている。パソコン４０には、ＣＰＵ、ＲＯＭ、ＲＡＭ、ハードディスク等のハードウェアが収納されており、ハードディスクにはパソコン４０を機能させるためのプログラムを含む各種のソフトウェアが記憶されている。そして、これらのハードウェアおよびソフトウェアが組み合わされることによって、後述する発注情報記憶部４１が構成されている。また、パソコン４０には、図７に示すように、ＩＣタグに情報を書き込むためのＩＣタグライタ４４と、各種情報を表示するディスプレイ４５と、インターネット９に接続するための通信インターフェース４９とが接続されている。
【００４０】
したがって、パソコン４０は、発注者のパソコン１０からサーバ７０にアップロードされた発注情報、すなわち発注者情報や画像データファイル等を取得し、発注情報記憶部４１に記憶する。そして、ＩＣタグライタ４４が、発注情報記憶部４１に記憶されている発注者情報をＩＣタグに書き込む。続いて、プリンタ３１が、発注情報記憶部４１に記憶されている発注情報に含まれる画像データファイルに基づいて、写真プリントを作成する。なお、事業者は、プリンタ３１で作成された１オーダー分の写真プリントを１つの封筒に封入すると共に、ＩＣタグライタ４４によって当該オーダーに係る発注情報が書き込まれたＩＣタグを第１のＩＣタグ３として封筒に添付する。
【００４１】
サーバ７０には、ＣＰＵ、ＲＯＭ、ＲＡＭ、ハードディスク等のハードウェアが収納されており、ハードディスクにはサーバ７０を機能させるためのプログラムを含む各種のソフトウェアが記憶されている。そして、これらのハードウェアおよびソフトウェアが組み合わされることによって、後述するウェブファイル記憶部７１、事業者情報記憶部７２、発注情報記憶部７３、補正部７４、発注先抽出部７５、及び発注準備完了信号生成部７６（図８参照）が構築されている。また、サーバ７０には、図８に示すように、インターネット９に接続するための通信インターフェース７９が接続されている。
【００４２】
ウェブファイル記憶部７１には、サーバ７０にアクセスしてきたクライアントパソコンに対して、写真プリントサービスのコンテンツを提供するために、ＨＴＭＬファイルなどの多数のウェブファイルが格納されている。したがって、サーバ７０は、インターネット９を介してサーバ７０にアクセス可能であるパソコン１０に対してオンラインプリント注文を受け付けるためのＷｅｂサイトを提供することができる。
【００４３】
事業者情報記憶部７２には、写真プリントシステム１０１に写真プリントの作成及び配達を行う事業者として登録している複数業種の事業者の情報が記憶されている。具体的には、事業者の名称、業種、住所、電話番号、営業時間、定休日等の基礎的な情報に加えて、配達エリア、販売している商品の販売情報、配達予定日時に関する情報等が記憶されている。なお、事業者情報記憶部７２の記憶内容を書き換えることによって、事業者の登録／抹消を行うことができる。
【００４４】
ここで、配達予定日時に関する情報とは、発注者が注文を行った時間帯及び曜日から配達予定日時を決定することができる情報である。配達予定日時の決定方法としては、例えば、事業者の営業時間及び定休日に基づいて行われる。具体的には、定休日の前日の営業時間終了後に注文が行われた場合には、定休日の翌日を配達予定日とする。
【００４５】
発注情報記憶部７３には、パソコン１０からアップロードされた発注情報、すなわち、発注者情報、画像データファイル、サムネイル画像データファイル、選択された事業者の選択情報、発注者が写真プリントの配達を依頼する事業者が販売している商品の購入情報等が記憶される。補正部７４は、パソコン１０からアップロードされた画像データファイルに対して、画像の色濃度、シャープネス、コントラスト、彩度等を補正するための補正処理を施す。
【００４６】
発注先抽出部７５は、写真プリントシステム１０１に登録されている複数の事業者の中から、発注情報記憶部７３に記憶される配達先住所を配達エリアとする事業者を抽出し、発注先リストを生成する。なお、このとき、事業者情報記憶部７２に記憶されている複数の事業者の中から、１つ、２つ、又は３つの事業者が抽出される。例えば、新聞販売店については和歌山市北部エリア、コンビニエンスストアについては和歌山市梅原エリア、酒屋については和歌山市梅原国道２６号線付近エリア等が配達エリアとして存在し、特定の住所を配達エリアに含む事業者がピックアップされる。また、発注先リストに含まれる事業者数は、発注先抽出部７５によって抽出された事業者数、すなわち配達先住所を配達エリアに含んでいる事業者数を超えることはできない。抽出された全ての事業者が発注先リストに含まれるようにしてもよいし、抽出された事業者の中から抜粋された事業者のみが発注者リストに含まれるようにしてもよい。そして、発注先抽出部７５によって生成された発注先リストは、インターネット９を介してパソコン１０に送信される。
【００４７】
発注準備完了信号生成部７６は、補正部７４による補正処理が終了した際に、事業者端末３０に対して、写真プリントを発注する準備が完了したことを報知するための発注準備完了信号を生成する。発注準備完了信号生成部７６で生成された発注準備完了信号は、発注者によって選択された事業者の事業者端末３０に送信される。
【００４８】
ここで、本実施の形態の写真プリントシステム１０１において、写真プリントを作成する手順について説明する。まず、パソコン１０における処理手順を示すフローチャートである図９を用いて、パソコン１０を用いて写真プリントの発注を行う際の手順について説明する。
【００４９】
まず、写真プリントの発注者がパソコン１０を用いてサーバ７０にアクセスすると、オンラインプリント注文のＷｅｂサイトのトップページ（図示せず）がディスプレイ１５に表示される。さらに、プリントの注文を行うためのページにアクセスすると、メディアドライブ１８によってメディアから画像データファイルが読み出された後（ステップＳ２０１）、当該画像データファイルとサーバ７０から取得したウェブファイルとが合成され、図１０に示すような注文画面９１がディスプレイ１５に表示される（ステップＳ２０２）。なお、本実施の形態では、図１０に示すように、注文画面９１には６コマ分の画像が表示されることとする。このとき、発注者は、キーボード１６又はマウス１７を用いて各コマ画像に対してプリント枚数等を入力する。
【００５０】
続いて、注文画面９１の確定ボタン９１ａが操作されたか否かが判断される（Ｓ２０３）。確定ボタン９１ａが操作されていないと判断された場合には（ステップＳ２０３：ＮＯ）、確定ボタン９１ａの操作が行われたと判断されるまで、ステップＳ２０３での判断が繰り返し行われる。一方、確定ボタン９１ａの操作が行われたと判断された場合には（ステップＳ２０３：ＹＥＳ）、未だ注文画面９１に表示されていない画像があるか否かが判断される（ステップＳ２０４）。
【００５１】
未だ注文画面９１に表示されていない画像があると判断された場合には（ステップＳ２０４：ＹＥＳ）、ステップＳ２０１に戻って、再びメディアからの画像データファイルの読み出しが行われる。一方、全ての画像が注文画面９１に表示されたと判断された場合には（ステップＳ２０４：ＮＯ）、図１１に示すような発注者情報入力画面９２が表示される（ステップＳ２０５）。本実施の形態では、発注者情報入力画面９２において、図１１に示すように、発注者氏名、配達先住所、及び配達先電話番号を発注者情報として入力するようになっているが、あらかじめ会員登録されている場合には、ＩＤやパスワード等を入力するようにしてもよい。
【００５２】
そして、発注者情報入力画面９２の確定ボタン９２ａが操作されたか否かが判断される（ステップＳ２０６）。確定ボタン９２ａが操作されていないと判断された場合には（ステップＳ２０６：ＮＯ）、確定ボタン９２ａの操作が行われたと判断されるまで、ステップＳ２０６での判断が繰り返し行われる。一方、確定ボタン９２ａの操作が行われたと判断された場合には（ステップＳ２０６：ＹＥＳ）、発注者情報入力画面９２で入力された発注者情報がサーバ７０に送信される（ステップＳ２０７）。
【００５３】
続いて、サーバ７０から発注先リストを受信したか否かが判断される（ステップＳ２０８）。リストを受信していないと判断された場合には（ステップＳ２０８：ＮＯ）、リストを受信したと判断されるまで、ステップＳ２０８での判断が繰り返し行われる。一方、リストを受信したと判断された場合には（ステップＳ２０８：ＹＥＳ）、図１２に示すような、発注先選択画面９３が表示される（ステップＳ２０９）。
【００５４】
図１２に示すように、発注先選択画面９３には、事業者の名称、及び現在の日時と当該事業者の営業時間・定休日とから予想される配達予定日時が表示される。したがって、発注者は、配達予定日時を知ることができる。ここで、図１２の発注先選択画面９３には、新聞販売店、コンビニエンスストア、及び酒屋の３つの事業者が表示されているので、発注者は、これら３つの事業者のうちから写真プリントの作成及び配達を依頼する事業者として１つの事業者を選択した後、確定ボタン９３ａを操作する。なお、事業者が１つしか表示されていない場合には、発注者は、その表示されている事業者にプリントを依頼することとなる。
【００５５】
そして、発注先選択画面９３の確定ボタン９３ａが操作されたか否かが判断される（ステップＳ２１０）。確定ボタン９３ａが操作されていないと判断された場合には（ステップＳ２１０：ＮＯ）、確定ボタン９３ａの操作が行われたと判断されるまで、ステップＳ２１０での判断が繰り返し行われる。一方、確定ボタン９３ａの操作が行われたと判断された場合には（ステップＳ２１０：ＹＥＳ）、発注先選択画面９３で選択された事業者の選択情報が、サーバ７０に送信される（ステップＳ２１１）。
【００５６】
その後、発注先の事業者の販売情報を受信したか否かが判断される（ステップＳ２１２）。販売情報を受信していないと判断された場合には（ステップＳ２１２：ＮＯ）、販売情報を受信したと判断されるまでステップＳ２１２での判断が繰り返し行われる。一方、販売情報を受信したと判断された場合には（ステップＳ２１２：ＹＥＳ）、図１３に示すような商品選択画面９４が表示される（ステップＳ２１３）。
【００５７】
このとき、発注者は、商品選択画面９４に表示されている商品の中から、写真プリントと一緒に配達を希望する商品を選択することができる。続いて、商品選択画面９４の確定ボタン９４ａが操作されたか否かが判断される（ステップＳ２１４）。確定ボタン９４ａが操作されていないと判断された場合には（ステップＳ２１４：ＮＯ）、確定ボタン９４ａの操作が行われたと判断されるまで、ステップＳ２１４での判断が繰り返し行われる。一方、確定ボタン９４ａの操作が行われたと判断された場合には（ステップＳ２１４：ＹＥＳ）、画像データファイル、及び発注先の事業者が販売している商品の購入情報等の発注情報をサーバ７０に送信する（ステップＳ２１５）。
【００５８】
次に、サーバ７０のパソコン１０とのやり取りを示すフローチャートである図１４を用いて、サーバ７０における写真プリントの発注が行われる際の手順について説明する。
【００５９】
まず、パソコン１０からのアクセスに対応して、ウェブファイル記憶部７１に記憶されているウェブファイルをパソコン１０に送信する。そして、パソコン１０から送信された発注者情報を受信したか否かが判断される（ステップＳ３０１）。発注者情報を受信していないと判断された場合には（ステップＳ３０１：ＮＯ）、発注者情報を受信したと判断されるまで、ステップＳ３０１での判断が繰り返し行われる。一方、発注者情報を受信したと判断された場合には（ステップＳ３０１：ＹＥＳ）、発注先抽出部７５によって発注業者が抽出されると共に発注先リストが生成される（ステップＳ３０２）。そして、ステップＳ３０２で生成された発注先リストが、パソコン１０に送信される（ステップＳ３０３）。
【００６０】
さらに、パソコン１０から送信された発注者が選択した事業者の選択情報を受信したか否かが判断される（ステップＳ３０４）。選択情報を受信していないと判断された場合には（ステップＳ３０４：ＮＯ）、選択情報を受信したと判断されるまでステップＳ３０４での判断が繰り返し行われる。一方、選択情報を受信したと判断された場合には（ステップＳ３０４：ＹＥＳ）、発注者によって選択された事業者の販売情報がパソコン１０に送信される（ステップＳ３０５。）
【００６１】
その後、パソコン１０から送信された発注情報を受信したか否かが判断される（ステップＳ３０６）。発注情報を受信していないと判断された場合には（ステップＳ３０６：ＮＯ）、発注情報を受信したと判断されるまで、ステップＳ３０６での判断が繰り返し行われる。一方、発注情報を受信したと判断された場合には（ステップＳ３０６：ＹＥＳ）、受信した発注情報が発注情報記憶部７３に記憶される（ステップＳ３０７）。
【００６２】
続いて、サーバ７０の事業者端末３０とのやり取りを示すフローチャートである図１５を用いて、サーバ７０における事業者に写真プリントの発注を行う際の手順について説明する。
【００６３】
まず、補正部７４によって、上述のパソコン１０とのやり取りの手順におけるステップＳ３０６においてパソコン１０から取得した画像データファイルに対して、補正処理が施される（ステップＳ４０１）。その後、発注準備完了信号生成部７６によって、発注準備完了信号が生成される（ステップＳ４０２）。さらに、ステップＳ４０２で生成された発注準備完了信号が、インターネット９を介して、発注者がプリントを依頼する事業者の事業者端末３０に送信される（ステップＳ４０３）。
【００６４】
さらに、事業者端末３０における処理手順を示すフローチャートである図１６を用いて、写真プリントを作成する際の手順について説明する。
【００６５】
まず、パソコン４０において、サーバ７０から送信された発注準備完了信号を受信したか否かが判断される（ステップＳ５０１）。信号を受信していないと判断された場合には（ステップＳ５０１：ＮＯ）、信号を受信したと判断されるまで、ステップＳ５０１での判断が繰り返し行われる。一方、信号を受信したと判断された場合には（ステップＳ５０１：ＹＥＳ）、サーバ７０にアクセスし、発注情報記憶部７３に記憶されている発注情報を取得する（ステップＳ５０２）。その後、ステップＳ５０２でダウンロードされた発注情報は、発注情報記憶部４１に記憶される（ステップＳ５０３）。
【００６６】
続いて、ディスプレイ４５に、図１７に示すような発注状況報知画面９５が表示される（ステップＳ５０４）。図１７に示すように、発注状況報知画面９５には、発注情報記憶部４１に記憶された発注者情報やプリント枚数や商品の購入情報等が表示される。また、例えば発注者が当該事業者と定期配送契約を結んでいる場合には、顧客ナンバー等が発注状況報知画面９５に表示され（図１７においては、発注者氏名の右横に表示されている）、発注者が顧客であることが示される。
【００６７】
その後、ＩＣタグライタ４４によって、発注情報記憶部４１に記憶されている発注者情報がＩＣタグに書き込まれる（ステップＳ５０５）。さらに、発注情報記憶部４１に記憶されている画像データファイル及び当該画像データファイルのプリント枚数等の情報がプリンタ３１に送信され、プリンタ３１において写真プリントが作成される（ステップＳ５０６）。
【００６８】
上述のような手順で作成された写真プリントは、１オーダー分の写真プリントが１つの封筒に封入されると共に、ＩＣタグライタ４４によって当該オーダーに係る発注者情報が書き込まれたＩＣタグが第１のＩＣタグ３として封筒に添付され、写真プリントを作成した事業者によって配達システム１を利用して配達先住所まで配達される。なお、発注者が、写真プリント発注時に事業者が販売している商品を購入した場合には、購入商品と共に写真プリントの配達を行う。また、発注者が事業者と定期配送契約を結んでいる顧客である場合には、契約している商品と共に写真プリントの配達を行う。
【００６９】
以上のように、本実施の形態の配達システム１は、１又は複数の配達物（写真プリントが封入された封筒）にそれぞれ添付されており、無線通信可能であると共に写真プリント発注者の発注者情報を記憶している１又は複数の第１のＩＣタグ３と、配達業者による配達物の配達経路上に設置されており、無線通信可能であると共に所在地に関する情報である所在地情報を記憶している第２のＩＣタグ５と、無線通信可能であり、配達時において配達業者に携帯される携帯端末５０とを備えている。さらに、携帯端末５０は、携帯端末５０が第２のＩＣタグ５と通信可能な範囲内に位置する際に、１又は複数の第１のＩＣタグ３のうちの少なくとも１つに係る配達先と、当該第２のＩＣタグ５に係る所在地との位置関係を対比する対比部５４と、対比部５４によって対比された結果を報知するスピーカー５９とを有している。したがって、写真プリントを配達している配達業者は、携帯端末５０と配達経路上に設置されている第２のＩＣタグ５とが通信可能である際、すなわち配達者が第２のＩＣタグ５から所定の範囲内にいる際に、配達先と当該第２のＩＣタグ５の所在地との位置関係を知ることができる。つまり、配達先と配達者の存在位置との位置関係を知ることができる。よって、配達業者が配達先の地域の地理に不慣れな場合であっても、写真プリントを簡易に配達することができる。また、配達業者が配達先に設置されている第２のＩＣタグ５から所定の範囲内にいる際に、スピーカー５９が配達先と配達者の存在位置とが一致している、すなわち、配達先に到着した旨を報知することで、配達先を素通りすることなく確実に配達することができる。
【００７０】
また、本実施の形態の配達システム１では、携帯端末５０が、携帯端末５０が第２のＩＣタグ５と通信可能な範囲内に位置する際に、複数の第１のＩＣタグ３から受信した配達先住所情報にかかる配達先のうち、当該第２のＩＣタグ５から受信した所在地情報に係る所在地と最も近いものを特定する最近接配達先特定部５２を有しており、対比部５４は、最近接配達先特定部５２によって特定された配達先と、携帯端末５０と通信可能な範囲内に位置する第２のＩＣタグ５の所在地とを対比する。したがって、複数の配達物を配達する際に、効率よく配達を行うことができる。
【００７１】
また、本実施の形態の配達システム１では、携帯端末５０が、配達業者による配達物の配達経路を含む地図情報を記憶している地図情報記憶部５３を有している。そして、対比部５４が、地図情報記憶部５３に記憶されている地図情報に基づいて、携帯端末５０と通信可能な範囲内に位置する第２のＩＣタグ５の所在地から配達先に向かうための案内情報を生成し、スピーカー５９が、対比部５４によって生成された案内情報を報知する。したがって、配達業者は、スピーカー５９によって報知された案内情報に基づいて配達することができるので、写真プリントの配達がより簡易となる。
【００７２】
さらに、本実施の形態の配達システム１では、携帯端末５０は、地図情報記憶部５３に記憶されている地図情報にかかる地図と、第１のＩＣタグ３から受信した配達先住所に係る配達先の地図上における位置と、携帯端末５０と通信可能な範囲内に位置する第２のＩＣタグ５から受信した所在地情報に係る所在地の地図上における位置とを表示するディスプレイ５８を有している。したがって、配達先と配達業者の存在位置との位置関係を視覚的に知ることができる。
【００７３】
さらに、本実施の形態の写真プリントシステム１０１では、複数の写真プリント発注者が操作する複数のパソコン１０と、所定の配達エリアをそれぞれ有しており、写真プリントを作成すると共に、作成した写真プリントを配達システム１によって配達する複数の事業者が操作する複数の事業者端末３０とが、インターネット９を介してサーバ７０と通信可能である。事業者端末３０は、第１のＩＣタグ３に情報を書き込むためのＩＣタグライタ４４を有している。サーバ７０は、パソコン１０から送信された配達先住所を配達エリアに含んでいる事業者として発注先抽出部７５が複数の事業者の中から抽出した１つ、２つ、又は３つの事業者に関する事業者情報を発注者のパソコン１０に送信する。パソコン１０は、プリントを希望する画像データファイル、及び発注先抽出部７５が複数の事業者を抽出した場合には当該複数の事業者の中から発注者が選択した事業者の選択情報等をサーバ７０に送信する。そして、発注先抽出部７５が１つの事業者を抽出した場合には、その抽出された事業者の事業者端末３０が、発注先抽出部７５が複数の事業者を抽出した場合には、発注者が選択した事業者の事業者端末３０が、サーバ７０から発注情報を受信すると共に、当該事業者端末３０のＩＣタグライタ４４が第１のＩＣタグ３にサーバ７０から受信した発注情報に含まれる発注者情報を書き込む。したがって、発注者は、配達先住所を配達エリアに含んでおり、その地域に密着している事業者に写真プリントの作成及び配達を依頼することとなるので、安心して写真プリントを発注することができる。また、写真プリント配達時において、事業者が第２のＩＣタグ５から所定の範囲内にいる際に、写真プリントの配達先と事業者の存在位置との位置関係を知ることができるので、事業者が配達先の地域の地理に不慣れな場合であっても、写真プリントを簡易に配達することができる。さらに、スピーカー５９が配達先に到着した旨を報知することで、例えば、事業者が新聞配達等をしつつ写真プリントの配達を行っている場合でも、写真プリントの配達先を素通りすることなく、確実に写真プリントを配達することができる。
【００７４】
次に、図１８を参照しつつ、本発明の第２の実施の形態に係る配達システムについて説明する。第２の実施の形態に係る配達システムの構成が、第１の実施の形態に係る配達システム１の構成と主に異なる点は、配達システム１では、第１のＩＣタグ３が発注者情報を記憶しているが、本実施の形態の配達システムでは、第１のＩＣタグ３には識別番号（後で詳述する）が記憶されている点である。その他の構成については、第１の実施の形態とほぼ同様である。第１の実施の形態とほぼ同様の構成を有するものについては、同じ符号を付して適宜その説明を省略する。
【００７５】
ここで、識別番号について説明する。本実施の形態において、識別番号とは、本実施の形態の配達システムによって配達される写真プリントを作成する事業者端末３０が受信した写真プリントのオーダーに対して、１オーダー毎に個別に割り振られる番号である。
【００７６】
図１８に示すように、本実施の形態の携帯端末１５０は、関連情報記憶部１５１、配達先記憶部１５２、地図情報記憶部１５３、及び対比部１５４を有している。関連情報記憶部１５１は、第１のＩＣタグ３に記憶されている識別番号と、当該第１のＩＣタグ３が添付される配達物に係る発注者情報とを互いに関連付けて記憶している。配達先記憶部１５２は、第１のＩＣタグ３から識別番号を取得した際に、関連情報記憶部１５１の記憶内容に基づいて、取得した識別番号に対応する発注者情報を記憶する。なお、配達先記憶部１５２の記憶内容は、第１のＩＣタグ３から識別番号を取得する度に書き換えられる。地図情報記憶部１５３は、配達業者による配達物の配達経路を含む地図情報を記憶している。対比部１５４は、配達先記憶部１５２に記憶されている発注者情報に係る配達先と、携帯端末１５０と通信可能な範囲内に位置する第２のＩＣタグ５の所在地とを対比し、地図情報記憶部１５３に記憶されている地図情報に基づいて、当該第２のＩＣタグ５の所在地から配達先に向かうための案内情報を生成する。
【００７７】
また、携帯端末１５０は、第１の実施の形態のアンテナ５７、ディスプレイ５８、スピーカー５９と同様の機能をそれぞれ有するアンテナ１５７、ディスプレイ１５８、スピーカー１５９を備えている。さらに、携帯端末５０は、本実施の形態の配達システムによって配達される写真プリントを作成する事業者端末３０のパソコン４０と接続するためのＵＳＢ端子１５６を備えている。したがって、携帯端末１５０は、発注者情報及び識別番号をパソコン４０からＵＳＢ端子１５６を介して取得することができる。
【００７８】
本実施の形態の配達システムにおいて、配達業者が写真プリントを配達する際に、携帯端末１５０で行われる処理については、第１の実施の形態の配達システム１において携帯端末５０で行われる処理とほぼ同様である。第１の実施の形態における手順と異なる点は、第１の実施の形態のステップＳ１０１の処理の前に、パソコン４０から発注者情報及び当該発注者情報に係る配達物に添付される第１のＩＣタグ３に記憶される識別番号を取得すると共に、関連情報記憶部１５１が、当該発注者情報及び当該識別番号を関連付けて記憶する点、及び第１の実施の形態においては、ステップＳ１０１で複数の第１のＩＣタグ３から発注者情報を取得すると共に、発注者情報記憶部５１に記憶するが、本実施の形態では、１つの第１のＩＣタグ３から発注者情報を取得すると共に、取得した識別番号に対応する発注者情報を配達先記憶部１５２に記憶する点である。また、本実施の形態の手順では、第１の実施の形態における手順のステップＳ１０４に相当する処理は省略される。
【００７９】
以上のように、本実施の形態の配達システムでは、第１の実施の形態の配達システム１と同様に、写真プリントを確実且つ簡易に配達することができる。また、第１のＩＣタグ３には発注者情報よりも情報量が少ない識別番号が記憶されるので、第１のＩＣタグ３として比較的安価なＩＣタグを用いることができる。さらに、本実施の形態の配達システムを第１の実施の形態の写真プリントシステムと同様のシステムに用いることで、第１の実施の形態の写真プリントシステムと同様に、安心して写真プリントを発注することができると共に、写真プリントを確実且つ簡易に配達することができる。
【００８０】
以上、本発明の好適な実施の形態について説明したが、本発明は上述の実施の形態に限られるものではなく、特許請求の範囲に記載した限りにおいて、様々な設計変更を行うことが可能なものである。
【００８１】
例えば、上述の第１及び第２の実施の形態にける、対比部５４（１５４）による対比結果を報知するための報知手段としてのスピーカー５９、１５９の一変形例として、図１９に示すような、配達物である写真プリントが封入された封筒に添付された第１のＩＣタグ３に備えられたＬＥＤ等の発光素子１５５が考えられる。具体的には、例えば、配達先に近づくにつれて発光素子１５５を速く点滅させることで、対比部５４（１５４）による対比結果、すなわち、配達先と携帯端末５０と通信可能な範囲内に位置する第２のＩＣタグ５との位置関係を報知することができる。また、本変形例のように、報知手段として第１のＩＣタグ３に備えられた発光素子１５５を用いることで、配達物が複数ある場合でも、報知手段がどの配達物の配達先と第２のＩＣタグ５との位置関係を報知したかを容易に知ることができる。
【００８２】
また、上述の第１及び第２の実施の形態では、配達システムが、配達物に添付された第１のＩＣタグ３と、配達物の配達経路上に設置された第２のＩＣタグ５と、配達時に配達業者によって携帯されると共に、第１及び第２のＩＣタグ３、５とそれぞれ通信する携帯端末５０（１５０）とを備えている場合について説明したがこれには限られない。例えば、配達システムが携帯端末５０（１５０）を備えておらず、第１のＩＣタグ３と第２のＩＣタグ５とが直接通信するようにしてもよい。
【００８３】
さらに、上述の第１及び第２の実施の形態では、配達物の配達経路上に第２のＩＣタグ５が設置されている場合について説明したが、これには限られない。配達経路上に設置される装置は、無線通信可能であると共に所在地に関する情報である所在地情報を記憶している装置であれば、どのような装置であってもよい。
【００８４】
加えて、上述の第１の実施の形態では、携帯端末５０が、配達業者が写真プリントを配達する複数の配達先の中から、携帯端末５０と通信可能な範囲内に位置する第２のＩＣタグ５に係る所在地に最も近い配達先を特定する最近接配達先特定部５２を有しており、対比部５４が、最近接配達先特定部５２によって特定された配達先と、当該第２のＩＣタグ５の所在地とを対比する場合について説明したが、これには限られない。携帯端末５０は、最近接配達先特定部５２を有していなくてもよい。この場合、対比部５４が、複数の配達先のうちの任意の１つと第２のＩＣタグ５の所在地とを対比するようにしてもよい。また、例えば、配達業者がこれから向かいたい配達先の配達物に添付されている第１のＩＣタグ３を携帯端末５０にかざすことによって、携帯端末５０にこれから向かう配達先を認識させておき、対比部５４が当該配達先と第２のＩＣタグ５の所在地とを対比するようにしてもよい。
【００８５】
また、上述の第１及び第２の実施の形態では、携帯端末５０（１５０）が、配達業者による配達物の配達経路を含む地図情報を記憶している地図情報記憶部５３（１５３）を有しており、対比部５４（１５４）が、地図情報記憶部５３（１５３）に記憶されている地図情報に基づいて、携帯端末５０（１５０）と通信可能な範囲内に位置する第２のＩＣタグ５の所在地から配達先に向かうための案内情報を生成し、スピーカー５９（１５９）が、対比部５４（１５４）によって生成された案内情報を報知する場合について説明したが、これには限られない。携帯端末５０（１５０）は、地図情報記憶部５３（１５３）を有していなくてもよい。この場合、対比部５４（１５４）は、例えば、配達先が「和歌山市梅原５７９−１」であり、第２のＩＣタグ５の所在地が「和歌山市野崎５」である場合には「遠い」、「和歌山市梅原４７０」である場合には「近い」、「和歌山市梅原５７９−２」である場合には「間近」等の案内情報を生成するようにしてもよい。
【００８６】
さらに、上述の第１及び第２の実施の形態では、携帯端末５０（１５０）が、地図情報記憶部５３（１５３）に記憶されている地図情報にかかる地図と、配達先の地図上における位置と、携帯端末５０（１５０）と通信可能な範囲内に位置する第２のＩＣタグ５から受信した所在地情報に係る所在地の地図上における位置とを表示するディスプレイ５８（１５８）を有している場合について説明したが、ディスプレイ５８（１５８）はなくてもよい。
【００８７】
また、上述の第１及び第２の実施の形態では、第２のＩＣタグ５が、配達業者による配達物の配達経路上に複数設置されている場合について説明したが、第２のＩＣタグ５は、配達経路上に少なくとも１つ設置されていればよい。
【００８８】
また、上述の第１及び第２の実施の形態では、配達先の住宅に第２のＩＣタグ５が設置されている場合について説明したが、第２のＩＣタグ５は、配達先に設置されていなくてもよい。
【００８９】
加えて、上述の第１及び第２の実施の形態では、スピーカー５９（１５９）が、対比部５４（１５４）による対比結果を音声によって報知する場合について説明したが、報知手段は音声には限られない。例えば、ディスプレイ５８（１５８）に文字で表示されるようにしてもよい。
【００９０】
また、上述の第１の実施の形態では第１のＩＣタグ３に、第２の実施の形態では携帯端末１５０に、それぞれ発注者の氏名情報、配達先住所情報、配達先電話番号情報等を含む発注者情報が記憶される場合について説明したが、これには限られない。発注者情報の代わりに、例えば、あらかじめ各地域や配達先に対して割り振られた番号等、少なくとも配達先を特定することができる情報が記憶されていればよい。
【００９１】
また、上述の第２の実施の形態では、第１のＩＣタグ３に記憶される識別番号は、写真プリントを作成する事業者端末３０が受信した写真プリントのオーダーに対して、１オーダー毎に個別に割り振られる番号である場合について説明したが、これには限られない。例えば、識別番号は、あらかじめ各ＩＣタグに個別に割り振られている番号であってもよい。
【００９２】
さらに、上述の第１及び第２の実施の形態では、発注者のパソコン１０と、事業者端末３０とが、インターネット９を介してサーバ７０と通信可能である場合について説明したが、これには限られない。パソコン１０、及び事業者端末３０が、インターネット９を経由せず、別の通信ネットワークを経由してサーバ７０と通信を行うようにしてもよい。また、２つ以上の通信ネットワークを経由してサーバ７０と通信を行うようにしてもよい。
【００９３】
また、上述の第１及び第２の実施の形態では、サーバ７０の補正部７４がパソコン１０から送信された画像データファイルに対して補正処理を施す場合について説明したが、これには限られない。例えば、補正処理は、事業者端末３０で行われてもよい。また、例えば、パソコン１０から送信された画像データファイルまたは当該画像データファイルに係るサムネイル画像データファイルを、写真に関する専門知識を有する画像処理業者が操作する画像処理装置に送信し、当該画像処理装置で算出された補正値に基づいて補正処理を行うようにしてもよい。
【００９４】
加えて、上述の第１及び第２の実施の形態では、事業者端末３０が、インターネット９に接続されたパソコン４０と、パソコン４０に接続されたプリンタ３１とで構成されている場合について説明したが、これには限られない。例えば、プリンタ３１がパソコン４０に接続されておらず、パソコン４０がサーバ７０から画像データファイル等を取得すると共に、取得した画像データファイル等をメディアに記録し、プリンタ３１が当該メディアから画像データファイルを読み出してプリント処理を行うようにしてもよい。
【図面の簡単な説明】
【００９５】
【図１】本発明の第１の実施の形態に係る配達システムの概略構成を示す図である。
【図２】図１に示す第１のＩＣタグの構成を示す図である。
【図３】図１に示す携帯端末の概略構成を示すブロック図である。
【図４】図１に示す携帯端末における処理手順を示すフローチャートである。
【図５】本発明の第１の実施の形態に係る写真プリントシステムの概略構成を示す図である。
【図６】図５に示すパソコンの概略構成を示すブロック図である。
【図７】図５に示す事業者端末の概略構成を示すブロック図である。
【図８】図５に示すサーバの概略構成を示すブロック図である。
【図９】図５に示すパソコンにおける処理手順を示すフローチャートである。
【図１０】図６に示すディスプレイに表示される注文画面を示す図である。
【図１１】図６に示すディスプレイに表示される発注者情報入力画面を示す図である。
【図１２】図６に示すディスプレイに表示される発注先選択画面を示す図である。
【図１３】図６に示すディスプレイに表示される商品選択画面を示す図である。
【図１４】図５に示すサーバのパソコンとのやり取りを示すフローチャートである。
【図１５】図５に示すサーバの事業者端末とのやり取りを示すフローチャートである。
【図１６】図５に示す事業者端末における処理手順を示すフローチャートである。
【図１７】図７に示すディスプレイに表示される発注状況報知画面を示す図である。
【図１８】本発明の第２の実施の形態に係る配達システムが備えている携帯端末の概略構成を示すブロック図である。
【図１９】本発明の第１及び第２の実施例の変形例において報知手段として用いられる発光素子を示す図である。
【符号の説明】
【００９６】
１  配達システム
３  第１のＩＣタグ（第１の識別装置）
５  第２のＩＣタグ（第２の識別装置）
９  インターネット（通信ネットワーク）
１０  パソコン（発注者端末）
３０  事業者端末
３１  プリンタ
４４  ＩＣタグライタ（書込装置）
５０、１５０  携帯端末
５２  最近接配達先特定部（特定手段）
５３、１５３  地図情報記憶部（地図情報記憶手段）
５４、１５４  対比部（対比手段）
５８、１５８  ディスプレイ
５９、１５９  スピーカー
７０  サーバ
１０１  写真プリントシステム
１５１  関連情報記憶部（関連情報記憶手段）
１５５  発光素子
【図１】
2007172166.tif 000003
【図２】
2007172166.tif 000004
【図３】
2007172166.tif 000005
【図４】
2007172166.tif 000006
【図５】
2007172166.tif 000007
【図６】
2007172166.tif 000008
【図７】
2007172166.tif 000009
【図８】
2007172166.tif 000010
【図９】
2007172166.tif 000011
【図１０】
2007172166.tif 000012
【図１１】
2007172166.tif 000013
【図１２】
2007172166.tif 000014
【図１３】
2007172166.tif 000015
【図１４】
2007172166.tif 000016
【図１５】
2007172166.tif 000017
【図１６】
2007172166.tif 000018
【図１７】
2007172166.tif 000019
【図１８】
2007172166.tif 000020
【図１９】
2007172166.tif 000021